(57)【要約】      （修正有）【課題】小型の貯湯式温水器に係り、特に小規模温水消費施設に設置されるに好適なホッパー形状の貯湯式温水器を提供する。【解決手段】ホッパー型受水槽１に上水道給水口から水を供給し、水量はボールタップ７で制御し、水中送水ポンプ６の可動時にポンプ自体の熱が発生するので、その熱をも温水保温に利用する。また、上蓋より吊り下げた温熱器具９により温水を作り出す。水中送水ポンプ６で送り出された温水は、循環送り水パイプ４で蛇口や使用箇所まで送り出され、そこから循環戻り水パイプ３に回り、ホッパー型受水槽１へ戻ってくる。また、ホッパー型受水槽１の底辺に付けたドレインキャップ２を外す事で清掃も簡単にできる。【選択図】図１
0003158836.tif 000002
【実用新案登録請求の範囲】
【請求項１】
ホッパー型受水槽を設け、その上段部側面に上水道給水口を設け、その内側にボールタップを取付け水の給水を制御する、ホッパー型受水槽の中に市販の水中送水ポンプを設置し、合わせて、温熱器具を上蓋より吊り下げ、上蓋に２箇所の穴を空け、循環送り水パイプと循環戻り水パイプを設置し、また、ホッパー型受水槽の下にはドレインキャップで栓をし、ホッパー型受水槽の上部外周に数箇所の吊り下げフックを設け、天井や櫓から吊り下げて架設できる様にしたホッパー型を特徴とした簡易循環式温水バケット。
【請求項２】
請求項１に記載のホッパー型受水槽をビニール等で被い、空気層による保温を特徴とした簡易循環式温水バケット。
【請求項３】
請求項１に記載のホッパー型受水槽を発砲スチロールで包み保温を特徴とした簡易循環式温水バケット。
【考案の詳細な説明】
【技術分野】
【０００１】
本発明は、小型の貯湯式温水器に係り、特に小規模温水消費施設に設置されるに好適なホッパ形状の貯湯式温水器に関する発明である。
【背景技術】
【０００２】
従来の小型貯湯式温水器は、矩形状タンク又は、円柱形タンクが一般的である。また、水栓金具への湯の供給は、一般的に使用場所から離れた場所に設置された給湯器から送水する場合、水栓金具の蛇口をひねってもすぐに湯が出なく、また、給湯器が燃焼を開始して温度が上がるまでの間は、配管内の冷水が水栓金具から吐出されてしまうという問題点があった。さらに貯湯タンクの構造が密閉矩形状タンク又は、密閉円柱形タンクにおいては、水道水内のカルキが固着してしまい、またそれらを清掃する事も出来なかった。
密閉型タンクにおいては、保温を重視するため清掃に関しては何も考慮していない。
（例えば、特許文献１参照。）。
【先行技術文献】
【特許文献】
【０００３】
【特許文献１】特開2001-124417
【考案の概要】
【考案が解決しようとする課題】
【０００４】
従来の小型貯湯式温水器では、使用場所から離れた場所に設置された給湯器から送水されている場合、水栓金具の蛇口をひねってもすぐに湯が出なく、その為の解決としては、貯湯式温水器を洗面器の下などに設置したりしていた。しかし、設置場所が無い場合は、離れた場所に設置しなければ成らず、その為、お湯を送りだす貯湯タンクに送水ポンプを設け温水を循環させ送水していた。尚且つ、密閉式のタンクでは、タンク内の清掃をすることもできないのが原状であった。
【課題を解決するための手段】
【０００５】
図１ホッパー型受水槽(1)を設け、その上段部側面に上水道給水口を設けボールタップ(7)を取付け水の給水を制御する、ホッパー型受水槽の中に水中送水ポンプ(6)を設置し、合わせて、温熱器具(9)を上蓋より吊り下げる。上蓋(12)に２箇所の穴を空け、循環送り水パイプ(4)と循環戻り水パイプ(3)を設置する。また、ホッパー型受水槽(1)の下にはドレインキャップ(2)で栓する。ホッパー型受水槽の上部外周に数箇所の吊り下げフック(5)を設け、天井や櫓から吊り下げて架設する。
【考案の効果】
【０００６】
従来の貯湯式温水器では、循環温水を送り出す為に設けた送水ポンプ図5(19)は、貯湯式温水器の外に架設するので、その送水ポンプ自体から出る熱を利用する事はない。ガスや石油式の湯沸し式温水器では、排気管からほとんどの熱が外部にロス熱として排出され、合わせてCO2も排出されている。
【０００７】
本案の様に、図1ホッパー型受水槽(1)に上水道給水口から水を供給し、水量はボールタップ(7)で制御し。水中送水ポンプ(6)の可動時にポンプ自体の熱が発生するので、その熱をも温水保温に利用する。また、上蓋より吊り下げた温熱器具(9)により温水を作り出す。
水中送水ポンプ(6)で送り出された温水は、図2に示すように循環送り水パイプ(4)で蛇口や使用箇所まで送り出され、そこから循環戻り水パイプ(3)に回り、ホッパー型受水槽(1)へ戻ってくる。
【０００８】
図1  ホッパー型受水槽(1)は、吊り下げフック(5)に鎖等をつなぎ天井や櫓などで吊るし架設する。また、内部清掃する時はホッパー下部のドレインキャップ(2)を外し清掃が簡単にできる。
【０００９】
保温には、図7  ビニール(21)袋状のもので全体をくるみ、空気層を作り出し保温する。或いは、図6  発砲スチロール(20)などで全体をくるみ保温する事も有りうる。
【００１０】
温水が沸騰した場合は、図1  蒸気抜きパイプ(13)によって発生蒸気を外部に排出するので爆破等の危険は無い。
【図面の簡単な説明】
【００１１】
【図１】本考案のホッパー型受水槽の断面図
【図２】本考案の送水管部分の配管図
【図３】従来の送水管部分の配管図
【図４】本考案を家畜飲水に利用した配管図
【図５】従来の貯蔵湯沸器本の参考図
【図６】本考案のホッパー型受水槽を発泡スチロールで包んだ断面図
【図７】本考案のホッパー型受水槽をビニールで包んだ断面図
【考案を実施するための形態】
【００１２】
以下、本発明の簡易循環式温水バケットの好適な実施形態について、図面を参照して詳細に説明する。
【００１３】
本発明の簡易循環式温水バケット  図1 に示すように、ホッパー型受水槽(1) 、ドレインキャップ(2) 、循環戻り水パイプ(3) 、循環送り水パイプ(4)、吊り下げフック(5) 、上蓋(12)、上水道接続口(8)から構成される。
【００１４】
図１ホッパー型受水槽(1)を設け、その上段部側面に上水道給水口(8)を設けボールタップ(7)を取付け水の給水を制御する、ホッパー型受水槽の中に市販の水中送水ポンプ(6)を設置し、合わせて、温熱器具(9)を上蓋より吊り下げる。上蓋(12)に２箇所の穴を空け、循環送り水パイプ(4)と循環戻り水パイプ(3)を設置する。循環送り水パイプ(4)は、水中送水ポンプ(6)に接続され、水中送水ポンプ(6)が可動すると水又は温水が送水される。また、ホッパー型受水槽の下にはドレインキャップ(2)で栓する。ホッパー型受水槽(1)の上部外周に数箇所の吊り下げフック(5)を設け、天井や櫓から吊り下げて架設する。
【実施例】
【００１５】
以下添付図面に従って説明する。
図1  ホッパー型受水槽(1)の上部に取付けた上水道給水口(8)から水を供給し、その水量はボールタップ(7)のフロートで制御し、温熱器具(9)に通電して湯を沸かす。温水は水中送水ポンプ(6)により送水され、その送水された温水は循環送り水パイプ(4)を通り各消費場所に送られる。例えば洗面器や家畜の飲水器などまで送られた温水が消費されない場合は、循環戻り水パイプ(3)を通りホッパー型受水槽(1)に戻される。
【００１６】
清掃する場合は、図1ホッパー型受水槽(1)の下部に取り付けしたドレインキャップ
(2)を外し内部を清掃する。
【００１７】
図2  簡易循環式温水バケットを吊り下げて架設し、循環戻り水パイプ(4)と循環戻り水パイプ(3)で温水を配水している様子を示している。
【００１８】
図3  は従来の湯沸しボイラーから、循環戻り水パイプ(4)と循環戻り水パイプ(3)で温水を配水している様子を示している。
【００１９】
図4  簡易循環式温水バケットを吊り下げて架設し、家畜用飲水器に配水している様子を示している。近年では温水を家畜に与えるのが常識化している。
【００２０】
図6  簡易循環式温水バケットの外側に発泡スチロールを貼り保温をしている様子を示している。
【００２１】
図7  簡易循環式温水バケットをビニールで包み、空気層を作り保温をしている様子を示している。
【符号の説明】
【００２２】
１  ホッパー型受水槽
２  ドレインキャップ
３  循環戻り水パイプ
４  循環送り水パイプ
５  吊り下げフック
６  水中送水ポンプ
７  ボールタップ
８  上水道接続口
９  温熱器具
１０  水中送水ポンプ電源
１１  温熱器具電源
１２  上蓋
１３  蒸気抜きパイプ
１４  洗面器
１５  湯沸し器
１６  煙突
１７  家畜用飲水器
１８  吊り部材
１９  送水ポンプ
２０  発砲スチロール
２１  ビニール
【図１】
0003158836.tif 000003
【図２】
0003158836.tif 000004
【図３】
0003158836.tif 000005
【図４】
0003158836.tif 000006
【図５】
0003158836.tif 000007
【図６】
0003158836.tif 000008
【図７】
0003158836.tif 000009
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
ホッパー型受水槽を設け、その上段部側面に上水道給水口を設け、その内側にボールタップを取付け水の給水を制御する、ホッパー型受水槽の中に水中送水ポンプを設置し、合わせて、温熱器具を上蓋より吊り下げ、上蓋に２箇所の穴を空け、循環送り水パイプと循環戻り水パイプを設置し、また、ホッパー型受水槽の下にはドレインキャップで栓をし、ホッパー型受水槽の上部外周に数箇所の吊り下げフックを設け、天井や櫓から吊り下げて架設できる様にしたホッパー型を特徴とした簡易循環式温水バケット。
【請求項２】
前記ホッパー型受水槽をビニールで被い、空気層で保温ができる事を特徴とする請求項１に記載の簡易循環式温水バケット。
【請求項３】
前記ホッパー型受水槽を発泡スチロールで包み保温ができる事を特徴とする請求項１に記載の簡易循環式温水バケット。